(57)【要約】【課題】インクを効率よくインク室の底面付近の孔に集めることが可能なインクカートリッジを提供する。【解決手段】インクカートリッジ１０は、フレーム１１０で構成された本体１００を備える。フレーム１１０には、インク供給バルブ２００を収容するバルブ収容室１２０と、検知窓１４０とが形成されている。インク室１７０内において、検知窓１４０からバルブ収容室１２０に至る内壁に、傾斜部８０が形成されている。この傾斜部８０は、第１傾斜面８１と、第１傾斜面８１の下方に設けられた第２傾斜面８２とを有する。インク室１７０の内壁や検知窓１４０に付着したインク滴は、第１傾斜面８１及び第２傾斜面８２を伝って、連通孔１８２付近の凹陥部１１７へ導かれる。【選択図】図４
2008221698.tif 000002
【特許請求の範囲】
【請求項１】
インクを収容する第１空間を有する本体と、
上記本体の所定の壁面から上記本体の外部へ向けて突設され、上記第１空間に連続して形成された中空状の突出部と、
上記第１空間と上記本体の外部とを連通する第１孔と、
上記所定の壁面から上記第１空間側へ隔てられた位置に設けられ、上記第１空間内のインクを上記第１孔へ導く第２孔と、
上記第１空間に設けられ、上記突出部から上記第２孔へ向けて傾斜された傾斜部とを具備するインクカートリッジ。
【請求項２】
上記第１孔を含む壁面との間で上記第１空間から隔離された第２空間を区画する区画壁を更に備え、
上記第２孔は、上記区画壁に配設されている請求項１に記載のインクカートリッジ。
【請求項３】
上記第２空間に設けられ、上記第１孔を開閉するバルブ機構を更に備える請求項２に記載のインクカートリッジ。
【請求項４】
上記第２孔は、上記第１空間の底面側に配置されている請求項１から３のいずれかに記載のインクカートリッジ。
【請求項５】
上記第１空間の底面の一部が凹陥状に形成された凹陥部を更に備え、
上記第２孔は、上記凹陥部内に配置されている請求項１から４のいずれかに記載のインクカートリッジ。
【請求項６】
上記第１孔は、上記所定の壁面の下端近傍に設けられている請求項１から５のいずれかに記載のインクカートリッジ。
【請求項７】
上記傾斜部は、上記突出部から上記第２孔に渡って階段状に設けられた複数の段部で構成されている請求項１から６のいずれかに記載のインクカートリッジ。
【請求項８】
上記傾斜部は、上記突出部と上記第１孔との間の壁面を上記傾斜部の傾斜面に対応させて陥没させることにより形成されている請求項１から７のいずれかに記載のインクカートリッジ。
【請求項９】
上記第１空間内で揺動可能に設けられ、上記第１空間に収容されたインク量に応じて上記突出部に先端が進入する姿勢と上記突出部から先端が退出する姿勢とに変化するアーム部材を更に備え、
上記突出部は、透光部材で構成されている請求項１から８のいずれかに記載のインクカートリッジ。
【請求項１０】
上記アーム部材は、上記傾斜部に設けられた支持部に揺動可能に軸支されている請求項９に記載のインクカートリッジ。
【請求項１１】
上記突出部は、上記所定の壁面から上記本体の外部へ向けて突設され、略箱形状に形成されている請求項１から１０いずれかに記載のインクカートリッジ。
【請求項１２】
上記突出部は、上記所定の壁面に平行で且つ上記所定の壁面の幅よりも小さい幅に形成された矩形状の前面と、該前面における上下左右の四辺を含み該前面及び上記所定の壁面に直交する側面とにより区画された略直方体形状に形成されている請求項１１に記載のインクカートリッジ。
【発明の詳細な説明】
【技術分野】
【０００１】
本発明は、インクジェット方式の記録装置に適用されるインクカートリッジに関する。
【背景技術】
【０００２】
従来より、インクジェット方式の記録装置（以下「記録装置」と略称する。）が知られている。この記録装置には、インクカートリッジが着脱可能に設けられる。インクカートリッジは、記録装置へ供給されるインクを収容するものであり、インクが収容されるインク室や、インク室からインクを外部へ供給するためのインク供給口などが設けられている。インク供給口を通じてインク室のインクが記録装置へ供給される。この種のインクカートリッジが、特許文献１及び特許文献２に開示されている。
【０００３】
【特許文献１】特開２００５−２６２５６５号公報
【特許文献２】特開平５−１３８８９３号公報
【発明の開示】
【発明が解決しようとする課題】
【０００４】
しかしながら、従来の一般的なインクカートリッジでは、インクカートリッジの効用が終えた場合に、インク室の底面に使い切ることのできない無駄なインクが残留するという問題がある。
【０００５】
そこで、本発明は、上記問題に鑑みてなされたものであり、その目的とするところは、無駄なインクを残さずにインクを効率よく消費することが可能なインクカートリッジを提供することにある。
【課題を解決するための手段】
【０００６】
(1)  本発明は、インクジェット記録方式のプリンタなどに適用されるインクカートリッジである。このインクカートリッジは、インクを収容する第１空間を有する本体と、上記本体の所定の壁面から上記本体の外部へ向けて突設され、上記第１空間に連続して形成された中空状の突出部と、上記第１空間と上記本体の外部とを接続する第１孔と、上記所定の壁面から上記第１空間側へ隔てられた位置に設けられ、上記第１空間内のインクを上記第１孔へ導く第２孔と、上記第１空間に設けられ、上記突出部から上記第２孔へ向けて傾斜された傾斜部とを具備する。
【０００７】
このように構成されているため、インク残量が少なくなった場合でも、本体の所定の壁面に付着したインクが傾斜部を伝って下方へ流れ落ち、第２孔へ集められる。そして、第２孔から第１孔へインクが導かれて、第１孔から外部へインクが導出される。これにより、第１空間内に無駄にインクを残すことなく、インクを使い切ることができる。
【０００８】
(2)  本インクカートリッジは、上記第１孔を含む壁面との間で上記第１空間から隔離された第２空間を区画する区画壁を更に備える。この場合、上記第２孔は、上記区画壁に配設されていることが好ましい。
【０００９】
(3)  また、本インクカートリッジは、バルブ機構を更に備える。このバルブ機構は、上記第１孔を開閉するものであり、上記第２空間に設けられている。
【００１０】
(4)  上記第２孔は、上記第１空間の底面側に配置されていることが望ましい。これにより、第１空間内のインク量が減少した場合でも、空気を混入させることなくインクを第２孔から第１孔へ導くことができる。
【００１１】
(5)  本インクカートリッジは、上記第１空間の底面の一部が凹陥状に形成された凹陥部を更に備える。この場合、上記第２孔は、上記凹陥部内に配置されていることが望ましい。これにより、第２孔に向けて流れ落ちたインクが凹陥部に集められ、集められたインクが第２孔を経て第１孔へ導くことができる。
【００１２】
(6)  上記第１孔は、上記所定の壁面の下端近傍に設けられている。これにより、第２孔とインク導出部との高低差がなくなり、第２孔から第１孔へのインクが円滑に流通する。
【００１３】
(7)  上記傾斜部は、上記突出部から上記第２孔に渡って階段状に設けられた複数の段部で構成されていることが好ましい。
【００１４】
(8)  上記傾斜部は、上記突出部と上記第１孔との間の壁面を上記傾斜部の傾斜面に対応させて陥没させることにより形成されたものが考えられる。これにより、上記傾斜部を容易に形成することができる。
【００１５】
(9)  本インクカートリッジは、上記第１空間内で揺動可能に設けられ、上記第１空間に収容されたインク量に応じて上記突出部に先端が進入する姿勢と上記突出部から先端が退出する姿勢とに変化するアーム部材を更に備える。この場合、上記突出部は、透光部材で構成されていることが望ましい。
【００１６】
第１空間にインクが十分に収容されている場合は、アーム部材の先端は突出部に進入する。一方、第１空間のインクが所定量より少なくなると、アーム部材は突出部から退出する。突出部は透光部材で構成されているため、外部からアーム部材の先端の動きを検知することが可能である。インク液面が上記突出部より下降すると、突出部内のインクは上記傾斜部に沿って下方へ流れるように案内される。したがって、突出部内にインクが残留することはない。そのため、突出部におけるアーム部材の動きが残留インクによって鈍くなることはない。これにより、円滑に動作するアーム部材によってインク液面を正確に把握することができる。
【００１７】
(10)  上記アーム部材は、上記傾斜部に設けられた支持部に揺動可能に軸支されていることが望ましい。これにより、アーム部材が傾斜部の傾斜面に沿ってバランス良く配置され得る。その結果、アーム部材の揺動がスムーズになり、また、アーム部材の先端の揺動ストロークを十分に確保することができる。
【００１８】
(11)  上記突出部は、上記所定の壁面から上記本体の外部へ向けて突設され、略箱形状に形成されていることが好ましい。
【００１９】
(12)  上記突出部の具体例としては、上記所定の壁面に平行で且つ上記所定の壁面の幅よりも小さい幅に形成された矩形状の前面と、該前面における上下左右の四辺を含み該前面及び上記所定の壁面に直交する側面とにより区画された略直方体形状に形成されたものが考えられる。
【発明の効果】
【００２０】
本発明のインクカートリッジによれば、インク残量が少なくなった場合でも、第１空間内の壁面などに付着したインクが傾斜部を伝って下方へ流れ落ち、第２孔付近に集められる。そして、第２孔から第１孔へインクが導かれて、第１孔から外部へインクが導出される。これにより、第１空間内に無駄なインクを残すことなく、インクを使い切ることができる。
【発明を実施するための最良の形態】
【００２１】
以下、適宜図面を参照して本発明の実施形態を説明する。ここに、図１は、本発明の実施形態に係るインクカートリッジ１０の外観を示す斜視図である。図２は、インクカートリッジ１０が分解された状態を示す分解斜視図である。
【００２２】
図１及び図２に示されるように、インクカートリッジ１０は、インクが収容される本体１００（本発明の本体に相当、図２参照）と、ケース２０と、プロテクタ３０とを備えている。ケース２０は、本体１００の略全体を覆う。プロテクタ３０は、インクカートリッジ１０が搬送される際に本体１００のインク供給バルブ２００（本発明のバルブ機構に相当、図２参照）などを保護するものであり、ケース２０に着脱可能に取り付けられている。なお、本実施形態では、本体１００、ケース２０、及びプロテクタ３０は、樹脂材料により構成されている。したがって、金属材料が使用されていないので、廃棄処分の際に焼却することができる。例えば、樹脂材料としては、ナイロン、ポリエチレンやポリプロピレンなどが該当する。
【００２３】
ケース２０は、本体１００を２方向（図２の上下方向）から挟み込む２つのケース部材２１，２２で構成されている。第１ケース部材２１は、本体１００の図２下側面を覆う部材であり、第２ケース部材２２は、本体１００の図２上側面を覆う部材である。各ケース部材２１，２２は、例えば、樹脂材料を射出成形することにより得られる。これらのケース部材２１，２２は、本体１００を構成するフレーム１１０やインク供給バルブ２００、大気連通バルブ１３１などに対応する形状に形成されている。
【００２４】
第１ケース部材２１には、本体１００の位置決めを行う棒状のピン２５ａ，２５ｂ，２５ｃが形成されている。ピン２５ａ〜２５ｃは、第１ケース部材２１の内面に垂直に立設されている。ピン２５ａ〜２５ｃで囲まれた部分に本体１００が装着される。これにより、ピン２５ａ〜２５ｃによって、本体１００が位置決めされ、本体１００が緩みなく第１ケース部材２１に仮付けされる。また、第２ケース部材２２には、ピン２５ａ〜２５ｃが形成された位置に対応して、ピン２５ａ〜２５ｃと嵌合する孔を有する嵌合孔部（図示せず）が設けられている。各ケース部材２１，２２が本体１００を挟み込むようにして接合され、ピン２５ａ〜２５ｃが上記嵌合孔部に嵌め入れられることにより、第１ケース部材２１と第２ケース部材とが互いに連結する。これにより、本体１００がケース２０によって保護される。
【００２５】
ケース２０には、突起片２６，２７が設けられている。突起片２６に切り欠き２６ａが設けられており、突起片２７に切り欠き２７ａが設けられている。これらの切り欠き２６ａ，２７ａに、プロテクタ３０に形成された図示しない突起が嵌合される。これにより、プロテクタ３０が、ケース２０に確実に取り付けられる。なお、ケース２０にプロテクタ３０が取り付けられた状態で、プロテクタ３０の貫通孔３１から大気連通バルブ１３１のロッド１３４が露出される。これにより、プロテクタ３０をケース２０から取り外すことなく、大気連通バルブ１３１を動作させることができる。
【００２６】
次に、図２〜図６を参照して、本体１００について説明する。ここに、図３は、インク注入部１５０側から見て本体１００の左側の面を示す図である。図４は、インク注入部１５０側から見て本体１００の右側の面を示す図である。図５は、バルブ収容室１２０の断面構造を示す部分断面図である。図６は、インク供給室１７５付近の構造を示す部分拡大図である。図６の（ａ）には、インク供給室１７５付近の概略構造が示されており、（ｂ）には、（ａ）における切断線VIb−VIbの断面構造が示されており、（ｃ）には、インク量が減少した状態が示されており、（ｄ）には、インクの供給が終了した状態が示されている。なお、図３では、インク供給バルブ２００及び大気連通バルブ１３１が本体１００から取り外された状態が示されている。また、図３及び図４では、フィルム１６０が省略されている。また、図５では、インク供給バルブ２００の一部が省略されている。
【００２７】
図２に示されるように、本体１００は、扁平形状の略６面体として構成されている。詳細には、本体１００は、幅方向（矢印５１の方向）に細く、高さ方向（矢印５２の方向）に長く、奥行き方向（矢印５３の方向）が上記高さ方向よりもさらに長い略直方体形状に形成されている。この本体１００は、図３及び図４に示された起立状態で、つまり、図中の下側の面を底面１０４とし、図中の上側の面を上面１０３として記録装置に装着される。インクカートリッジ１０は、記録装置に対して矢印５０で示される挿入方向に挿入される。なお、本体１００において、矢印５０の方向の前方側の面、つまり、底面１０４から起立するように設けられた面を本体１００の背面１０２とする。また、この背面１０２に対向する面を本体１００の正面１０１とする。正面１０１、背面１０２、上面１０３、底面１０４に連結された面を側面１０５，１０６とする。本実施形態では、一対の側面１０５，１０６が本体１００において６面体の最大面積となっている。
【００２８】
本体１００は、大別して、フレーム１１０と、フィルム１６０と、センサーアーム９０と、大気連通バルブ１３１と、インク供給バルブ２００とにより構成されている。フレーム１１０の両側面（図２の上下の２面）にフィルム１６０が溶着されることにより、その内部に、インクを収容することが可能なインク室１７０（本発明の第１空間に相当）が形成される。
【００２９】
フレーム１１０は、本体１００の筐体を構成する部材であり、本体１００の六面１０１〜１０６を形成する。したがって、本体１００の六面１０１〜１０６は、フレーム１１０の六面に一致する。以下において、本体１００の各面に付された符号を用いてフレーム１１０の各面を示す。
【００３０】
フレーム１１０は、透光性のある透明又は半透明の樹脂材料で構成されており、例えば、樹脂材料を射出成形することにより得られる。このフレーム１１０は、大別して、複数の壁部材（外周壁１１１等）と、インク注入部１５０と、検知窓１４０（本発明の突出部に相当）と、バルブ収容室１２０と、バルブ収容室１３０と、傾斜部８０（本発明の傾斜部）とを備える。
【００３１】
図３及び図４に示されるように、フレーム１１０は、外周壁１１１と、複数の内壁１１２とを備える。内壁１１２は、外周壁１１１の内側に配設されている。外周壁１１１及び内壁１１２は、フレーム１１０として一体に形成されており、本体１００の左側面１０５から右側面１０６に渡って設けられている。外周壁１１１は、内部に空間を形成するように、正面１０１、上面１０３、背面１０２、底面１０４に概ね沿って環状に配設されている。これにより、フレーム１１０の左側面１０５に開口１１４ａが形成され、右側面１０６に開口１１４ｂが形成される。
【００３２】
外周壁１１１及び内壁１１２の側面１０５，１０６側の外縁部分には、溶着部１１６（黒塗りの部分）が設けられている。この溶着部１１６に、超音波溶着によってフィルム１６０が溶着される。これにより、開口１１４ａ及び開口１１４ｂがフィルム１６０によって閉塞されて、外周壁１１１とフィルム１６０とによって囲まれたインク室１７０が区画される。このように区画されたインク室１７０にインクが収容される。
【００３３】
本実施形態では、内壁１１２は、外周壁１１１で囲まれた領域内において分散された状態で配設されている。そのため、フィルム１６０の弛みを抑制しつつ、インク室１７０におけるインクの流通性を高めることができる。また、内壁１１２が分散して配置されているため、例えば、軟性な樹脂材料でケース２０が形成されている場合に、そのケース２０が本体１００側に変形したとしても、内壁１１２によってケース２０の変形を規制することができる。これにより、ケース２０やフィルム１６０の破損を防止することができる。さらに、外周壁１１１及び内壁１１２は、側面１０５，１０６の方向、つまり、矢印５１（図１参照）で示される幅方向に延設されているため、フレーム１１０を射出成形する場合に、複雑な金型を必要としない。これにより、インクカートリッジ１０の製作コストの低減を図ることができる。
【００３４】
インク注入部１５０は、インクをインク室１７０に注入するために設けられている。インク注入部１５０は、フレーム１１０に一体に成形されている。このインク注入部１５０は、本体１００の正面１０１の中段付近よりやや下側に配設されている。
【００３５】
図４に示されるように、インク注入部１５０は、筒部１５２と、連通孔１５３と、隔壁１５６と、連通孔１５４とを主に備えている。筒部１５２は、正面１０１からインク室１７０側に穿設された略円筒状の孔であり、その奥部が閉塞されている。連通孔１５３は、筒部１５２とインク室１７０との間を連通するものである。この連通孔１５３は、筒部１５２の側壁に形成されている。この連通孔１５３は、筒部１５２の側壁を本体１００の右側面１０６側に貫通している。
【００３６】
隔壁１５６は、連通孔１５３をインク室１７０に対して隔離するとともに、後述する注入路１５８を形成するものである。隔壁１５６は、筒部１５２の外面に右側面１０６側へ向けて立設された横向き略Ｕ字状のリブ部材からなり、本体１００の奥行き方向（図４の矢印５３の方向）に延設された細長形状を呈する。隔壁１５６の右側面１０６側の外縁部分には溶着部１１６が設けられている。この溶着部１１６にもフィルム１６０が溶着される。右側面１０６の開口１１４ｂがフィルム１６０で閉塞された状態で、隔壁１５６及びフィルム１６０で囲まれた部分に注入路１５８が形成される。この注入路１５８は、インクが注入されたときにインクがインク室１７０へ向かって流れる流路である。隔壁１５６の正面１０１側に連通孔１５４が形成されている。この連通孔１５４によって、隔壁１５６が正面１０１側でインク室１７０側に開放されている。したがって、注入路１５８は、連通孔１５４を通じてインク室１７０に連通している。
【００３７】
筒部１５２の正面１０１側の開口は、本体１００の外部に開放されたインク注入口（不図示）である。このインク注入口からインクが注入される。インク注入口から注入されたインクは、筒部１５２の内部から連通孔１５３を通って注入路１５８に流れ込み、そして、連通孔１５４からインク室１７０に流入する。
【００３８】
検知窓１４０は、インク室１７０に収容されているインクの量を視覚的或いは光学的に検知するためのものである。検知窓１４０は、フレーム１１０に一体に形成されている。したがって、検知窓１４０は、フレーム１１０と同じ材質、つまり、透光性のある透明又は半透明の樹脂材料で構成されている。そのため、検知窓１４０は、外部からの光を透過することができる。なお、検知窓１４０は、記録装置に取り付けられたフォトインタラプタなどの光センサによって検出光が照射される的にされる。本実施形態では、上記検出光は、側壁１４０ｂに照射される。
【００３９】
検知窓１４０は、図３〜図５に示されるように、本体１００の背面１０２の中段付近から本体１００の外部へ向けて突設されてる。つまり、検知窓１４０は、インク室１７０とは反対側の方向（図３の左向き）へ突出するように設けられている。この検知窓１４０は、図示されるように、矩形状の５つの壁面で区画され、内部が中空状の略箱状に形成されている。検知窓１４０のインク室１７０側には開口が設けられている。つまり、上記開口は、インク室１７０に向けられている。これにより、検知窓１４０の内部がインク室１７０に連通している。検知窓１４０は、具体的には、背面１０２に平行で、この背面１０２から外向きに所定距離だけ離反された矩形状の前壁１４０ａ（図５参照）と、この前壁１４０ａの幅方向の二辺を含む一対の側壁１４０ｂと、前壁１４０ａの上下の二辺を含む上壁１４０ｃ及び底壁１４０ｄとにより区画されている。前壁１４０ａの幅（図２の矢印５１方向の寸法）は、本体１００の背面１０２の幅よりも小さく形成されている。
【００４０】
図５に示されるように、検知窓１４０の内部に空間１４２が形成されている。空間１４２は、インク室１７０に連続している。空間１４２に、センサーアーム９０のインジケータ部９２が進入或いは退出する。なお、図３及び図４では、インジケータ部９２が空間１４２に進入した姿勢が実線で示されており、図５では、破線で示されている。
【００４１】
センサーアーム９０は、インク室１７０に収容されたインクの液量を検知するための部材である。センサーアーム９０の一方端に、空間１４２に進入或いは退出されるインジケータ部９２が設けられている。センサーアーム９０の他方端に、内部が中空状に形成されたフロート部９３が設けられている。このセンサーアーム９０は、外周壁１１１の幅方向（矢印５１の方向）の中心に立設されたリブ９４に揺動可能に支持されている。フロート部９３は浮力体の役割を担っており、インク量に応じて上下に変位する。これにより、フロート部９３の変位量に応じてセンサーアーム９０が回動する。リブ９４は、背面１０２及び底面１０４で形成されるコーナー付近の外周壁１１１に設けられており、このリブ９４に、センサーアーム９０を軸支する支持部９７（図５参照）が形成されている。
【００４２】
センサーアーム９０は、インク室１７０内に十分な量のインクが収容されている場合は、図３及び図４に示されるようにインジケータ部９２が空間１４２に進入した姿勢を維持する。一方、インクが所定量未満になるとフロート部９３が下降して、インジケータ部９２が空間１４２から退出した姿勢を維持する。空間１４２におけるインジケータ部９２の有無を検知窓１４０の外部からフォトインタラプタなどの光センサで監視することで、インク室１７０内のインクの液量が一定量あるかどうかを検知することができる。
【００４３】
インク室１７０には、図３及び図４に示されるように、背面１０２及び底面１０４で形成されるコーナー部分に、傾斜部８０が設けられている。この傾斜部８０は、検知窓１４０の空間１４２や外周壁１１１における背面１０２側の垂直面１７２、バルブ収容室１２０の側壁１２４（図５参照）に付着したインクをインク室１７０の底面１７１、より詳細には、底面１７１に形成された凹陥部１１７（本発明の凹陥部に相当）へ円滑に導くために設けられたものである。傾斜部８０は、垂直面１７２から凹陥部１１７へ向けて傾斜する第１傾斜面８１と、該第１傾斜面８１の下方に位置する第２傾斜面８２とを有する。
【００４４】
第１傾斜面８１は、外周壁１１１の上記コーナー部分が傾斜されることによって形成される。また、第２傾斜面８２は、後述する隔壁１７７が傾斜されることによって形成される。第１傾斜面８１と第２傾斜面とに間には段が設けられている。したがって、傾斜部８０は、側面１０５，１０６の方向から見て階段状に形成されている。このような傾斜部８０が設けられているため、凹陥部１１７へ効率よくインクを集めることができる。
【００４５】
傾斜部８０のうち、第１傾斜面８１は、フレーム１１０の背面１０２を第１傾斜面８１に対応した傾斜面を有する型を用いて射出成形により形成される。具体的には、背面１０２において、検知窓１４０とインク供給バルブ２００との間の壁面を上記傾斜面を有する型で押し当てることで、第１傾斜面８１が形成される。このように第１傾斜面８１が型で成形されることにより、背面１０２には、該背面１０２からインク室１０７側へ陥没した形状の凹部８４（図３から図６参照）が形成される。本実施形態では、記録装置側の壁面にインクカートリッジ１０の挿入方向に向かって突出する突起が設けられており、インクカートリッジ１０が記録装置に正常に装着された際に、上記突起が凹部８４に挿入される。したがって、例えば、インクカートリッジ１０を上下逆さまにして記録装置に装着された場合は、上記突起が凹部８４に挿入されず、背面１０２や検知窓１４０前壁１４０ａに当接する。これにより、インクカートリッジ１０の誤挿入が防止される。
【００４６】
本実施形態では、傾斜部８０は、第１傾斜面８１と第２傾斜面８２とによって階段状に構成されているが、もちろん、垂直面１７２から凹陥部１１７へ向けて段を有しない傾斜面で構成されていてもよい。また、第１傾斜面８１が空間１４２の底面と連続して形成されていてもよい。つまり、空間１４２の底面が傾斜されており、その底面が第１傾斜面８１に連続するように傾斜部８０が構成されていてもよい。これにより、外周壁１１１のみならず、空間１４２に付着したインクを円滑にインク室１７０の底面１７１へ導くことができる。
【００４７】
図３に示されるように、フレーム１１０の背面１０２の上部、言い換えれば、検知窓１４０の上方に、円形の開口１３２が設けられている。開口１３２に連続してフレーム１１０の内部に円筒状のバルブ収容室１３０が形成されている。バルブ収容室１３０は、その奥部においてインク室１７０に連通している。バルブ収容室１３０に、大気連通バルブ１３１が収容される。
【００４８】
大気連通バルブ１３１は、開口１３２からインク室１７０に至る経路を開放又は閉鎖する弁機構であり、バルブ本体１３７やバネ１３６、ロッド１３４、カバー１３５などの部材によってユニット化された構造を有する。大気連通バルブ１３１は、常時は、バネ１３６の付勢力によって上記経路を閉鎖する方向にバルブ本体１３７が押し付けている。ロッド１３４は、背面１０２側に突出している。このロッド１３４が上記付勢力に抗して開口１３２の奥部へ押圧されることにより、上記経路が開放される。なお、バルブ収容室１３０及び大気連通バルブ１３１は本発明に関係しないため、詳細な説明は省略する。
【００４９】
図４及び図５に示されるように、フレーム１１０の背面１０２の下部、言い換えれば、検知窓１４０の下方に、円形の開口１２２が設けられている。この開口１２２に連続してフレーム１１０の内部側に、本発明の第２空間の一例であるバルブ収容室１２０及びインク供給室１７５が形成されている。
【００５０】
バルブ収容室１２０は、開口１２２から本体１００のインク室１７０へ向かう方向（矢印５３の方向）に沿ってフレーム１１０の内側に延設されている。バルブ収容室１２０は、図示されるように、外周壁１１１の外側に設けられている。一方、インク供給室１７５は、背面１０２側から見てバルブ収容室１２０の奥側、つまりインク室１７０側に設けられている。このインク供給室１７５は、外周壁１１１の内側に設けられている。つまり、インク供給室１７５とバルブ収容室１２０とは、外周壁１１１によって仕切るように隔離されている。以下、外周壁１１１において、インク供給室１７５とバルブ収容室１２０とを仕切る部分を隔壁１７９と称する。
【００５１】
バルブ収容室１２０は、略円筒状に形成された側壁１２４（図５参照）によってその側面が区画され、隔壁１７９によってその奥面が区画されている。このバルブ収容室１２０に、逆止弁１９０及びインク供給バルブ２００（図３参照）が収容される。
【００５２】
インク供給バルブ２００は、開口１２２からバルブ収容室１２０に至る経路を開放又は閉鎖する弁機構であり、バルブ本体２０７やバネ２０６、シール部材２０４、カバー２０５などの部材によってユニット化された構造を有する。バルブ本体２０７は、バルブ収容室１２０内で、後述するインク供給口２１０（本発明の第１孔に相当）を閉塞する位置とインク供給口２１０を開放する位置との間で移動可能に配設されている。インク供給バルブ２００は、常時は、バネ２０６の付勢力によって、インク供給口２１０を閉塞する方向にバルブ本体２０７を押し付けている。そして、インク供給口２１０に外部側からインクニードルが挿入されて上記付勢力に抗してバルブ本体２０７が押圧されると、バルブ本体２０７がスライドして、上記インク供給口２１０が開放される。このとき、インク室１７０内のインクがインク供給室１７５及びバルブ収容室１２０を経てインク供給口２１０から外部へ流出可能な状態となる。
【００５３】
図５に示されるように、開口１２２の外縁部にシール部材２０４を介してカバー２０５が取り付けられている。カバー２０５には貫通孔２１４が設けられ、シール部材２０４には貫通孔２１５が設けられている。このカバー２０５が上記外縁部に取り付けられた状態で、インクニードルが挿入可能なインク供給口２１０（貫通孔２１４，２１５）が形成される。このインク供給口２１０は、その中心がバルブ収容室１２０の円筒中心線１７６に一致するように形成されている。
【００５４】
逆止弁１９０は、インク室１７０からバルブ収容室１２０へのインクの流通を許容し、バルブ収容室１２０からインク供給室１７５へのインクの流通を制限するものである。逆止弁１９０は、バルブ収容室１２０とインク供給室１７５とを連通する後述の連通孔１８１に装着される。この逆止弁１９０は、バルブ収容室１２０からインク供給室１７５へのインクの逆流を抑止するために設けられている。
【００５５】
インク供給室１７５は、右側面１０６から見て略三角形状に形成されている。このインク供給室１７５は、右側面１０６から見て横向き略Ｖ字状の隔壁１７７（本発明の区画壁に相当）と外周壁１１１の一部を構成する隔壁１７９とによって区画されている。したがって、インク供給室１７５は、バルブ収容室１２０から奥行き方向（矢印５３の方向）へ向かうにつれて先細り形状に形成されている。インク供給室１７５とバルブ収容室１２０とは、隔壁１７９を間に介在させて本体１００の奥行き方向（矢印５３の方向）に隣接している。隔壁１７７の右側面１０６側の外縁部分には溶着部１１６が設けられている。この溶着部１１６にもフィルム１６０が溶着される。右側面１０６の開口１１４ｂがフィルム１６０で閉塞されることにより、隔壁１７７、隔壁１７９、及びフィルム１６０で囲まれた空間にインク供給室１７５が形成される。
【００５６】
隔壁１７９には、インク供給室１７５とバルブ収容室１２０とを連通する連通孔１８１が形成されている。この連通孔１８１は、上記インク供給口２１０と同じように、その中心がバルブ収容室１２０の円筒中心線１７６に一致するように形成されている。
【００５７】
図６（ａ）に示されるように、隔壁１７７は、連通孔１８１を囲むように設けられている。隔壁１７７のうち、下側の壁（以下「下壁」と称する。）１７７ｂには、インク室１７０とインク供給室１７５とを連通する連通孔１８２（本発明の第２孔に相当）が形成されている。この連通孔１８２は、連通孔１８１及びインク供給口２１０それぞれの中心を通る円筒中心線１７６から下方へずらされた箇所に形成されている。なお、隔壁１７７のうち、上側の壁（以下「上壁」と称する。）１７７ａは、後述する凹陥部１１７へ向けて傾斜されている。この上壁１７７ａによって第２傾斜面８２が形成されている。
【００５８】
図６（ｂ）に示されるように、下壁１７７ｂに切り欠き１８４が形成されている。この切り欠き１８４は、下壁１７７ｂの右側面１０６側の端部に設けられている。切り欠き１８４は、下壁１７７ｂの右側面１０６側の端部の一部が略コの字状に切り欠かれることにより形成される。切り欠き１８４は、フレーム１１０を射出成形することによってフレーム１１０と同時に形成される。この切り欠き１８４と、下壁１７７ｂの溶着部１１６に溶着されたフィルム１６０とによって、連通孔１８２が形成される。これにより、連通孔１８２の断面は、矩形状（四角形状）に形成される。
【００５９】
本実施形態では、連通孔１８２は、インク供給口２１０或いは連通孔１８１よりも小さい断面積に形成されている。したがって、インク供給口２１０から外部へインクが流出された場合に、連通孔１８２におけるインクの流速は、インク供給口２１０及び連通孔１８１における流速よりも大きい。そのため、連通孔１８２付近で気泡などが滞留し難くなる。
【００６０】
下壁１７７ｂの下方に、凹陥部１１７が設けられている。凹陥部１１７は、インク室１７０の底面１７１を形成する底壁１１８の一部を凹陥状に陥没させることにより形成される。なお、外周壁１１１のうち、インク室１７０の底面１７１を形成する部分が底壁１１８である。本実施形態では、この凹陥部１１７で区画される凹部空間１１９に、連通孔１８２のインク室１７０側の開口が配置されている。
【００６１】
図６（ｂ）に示されるように、凹陥部１１７は、リブ９４より右側面１０６側のみに設けられており、リブ９４より左側面１０５側には設けられていない。凹陥部１１７の直上のリブ９４には、リブ９４を右側面１０６側から左側面１０５側へ貫通する貫通孔９５が形成されている。この貫通孔９５を通ってインクが右側面１０６側と左側面１０５側との間で流通する。なお、凹陥部１１７は右側面１０６側のみに設けられているため、例えば、インク室１７０内のインクの液面が底面１７１より下がった場合には、リブ９４の左側面１０５側に残ったインクは、貫通孔９５を通って凹陥部１１７へ流入する。このような凹陥部１１７が設けられているため、凹陥部１１７に溜められたインクの液面が下がって連通孔１８２に達するまでの間、空気を連通孔１８２に入り込ませることなく、インクをインク供給室１７５に供給することができる。
【００６２】
本実施形態では、図６（ｂ）に示されるように、隔壁１７７は、インク室１７０とバルブ収容室１２０とをインク供給室１７５で隔てるように設けられている。即ち、インク供給室１７５は、インク室１７０との連通を連通孔１８２のみで行い、バルブ収容室１２０との連通を連通孔１８１のみで行う。したがって、インク供給口２１０が開放されると、インク室１７０に収容されたインクが、凹陥部１１７から連通路１８２を通ってインク供給室１７５に流入し、インク供給室１７５から連通孔１８１を通ってバルブ収容室１２０に流入する（図６（ｃ）の矢印５４）。そして、バルブ収容室１２０からインク供給口２１０を通って外部へインクが流出する（図６（ｃ）の矢印５５）。
【００６３】
次に、図６（ｃ）及び図６（ｄ）を参照して、インク供給口２１０が開放されたときのインク流路、つまり、インク室１７０からバルブ収容室１２０へのインク流路（図６（ｃ）の矢印５４）について説明する。
【００６４】
図６（ｃ）に示されるように、インク室１７０に収容されたインクの液面６０が凹陥部１１７より上方で、且つ、連通孔１８１及びインク供給口２１０より下方に位置する場合は、図示されるように、凹部空間１１９がインクで満たされている。上述したように、連通孔１８２は、凹部空間１１９内に配置されているため、記録装置に対するインクカートリッジ１０の装着姿勢において、連通孔１８２に空気や気泡が入り込むことはない。したがって、この場合は、たとえインク液面６０が連通孔１８１及びインク供給口２１０より下方に位置していたとしても、インク室１７０内のインクは、凹陥部１１７から連通孔１８２、インク供給室１７５、連通孔１８１、バルブ収容室１２０、そしてインク供給口１２０を通るインク流路（図６（ｃ）の矢印５４，５５）で外部へ流出する。
【００６５】
なお、本実施形態では、バルブ収容室１２０は図５に示されるように略円筒状に形成されている。連通孔１８１に逆止弁１９０が装着され、バルブ収容室１２０内にインク供給バルブ２００が収容される。そのため、本体１００の底面１０４を略フラットにしたままの状態で、連通孔１８１をインク室１７０の底面１７１に近づけて配置するのに限界がある。隔壁１１７を設けない構成では、連通孔１８１よりインクの液面６０が下がると、連通孔１８１から空気が入り込むため、インクの供給ができなくなり、インク室１７０内に消費できないインクが残ることになる。しかし、隔壁１１７を設けることで、連通孔１８２を連通孔１８１やインク供給口２１０より下方で、しかも底面１７１の近傍に配置することが可能になる。これにより、インクの液面６０が連通孔１８２より下がるまでインクを供給することができるので、インクの消費効率が向上する。
【００６６】
また、本実施形態では、連通孔１８２の断面が矩形状（四角形状）に形成されているため、矢印５４で示されるインク流路を通ってインクが流通する際に、インク中の気泡が凹部空間１１９から連通孔１８２に到達したとしても、連通孔１８２の４つのコーナー部分に気泡が接触しない部分が形成される。そのため、気泡によって連通孔１８２が完全に閉塞されることがないため、常に、矢印５４で示されるインク流路を確保することができる。
【００６７】
上述の実施形態では、連通孔１８２の断面形状を矩形状に形成することとしたが、例えば、連通孔１８２の断面形状を三角形状に形成してもよい。この場合、隔壁１１７に三角形状の切り欠きを形成して、この切り欠きとフィルム１６０とによって連通孔１８２を形成することが可能のである。もちろん、連通孔１８２の断面形状は、矩形状や三角形状に限られず、五角形状、或いはそれ以上の角を有する多角形状に形成してもかまわない。
【００６８】
なお、上述した実施形態は本発明の一例にすぎず、本発明の要旨を変更しない範囲で、実施形態を適宜変更することが可能である。
【図面の簡単な説明】
【００６９】
【図１】図１は、本発明の実施形態に係るインクカートリッジ１０の外観を示す斜視図である。
【図２】図２は、インクカートリッジ１０が分解された状態を示す分解斜視図である。
【図３】図３は、インク注入部１５０側から見て本体１００の左側の面を示す図である。
【図４】図４は、インク注入部１５０側から見て本体１００の左側の面を示す図である。
【図５】図５は、バルブ収容室１２０の断面構造を示す部分断面図である。
【図６】図６は、インク供給室１７５付近の構造を示す部分拡大図であり、（ａ）には、インク供給室１７５付近の概略構造が示されており、（ｂ）には、（ａ）における切断線VIb−VIbの断面構造が示されており、（ｃ）には、インク量が減少した状態が示されており、（ｄ）には、インクの供給が終了した状態が示されている。
【符号の説明】
【００７０】
１０・・・インクカートリッジ
２０・・・ケース
３０・・・プロテクタ
８０・・・傾斜部
８１・・・第１傾斜面
８２・・・第２傾斜面
９０・・・センサーアーム
１００・・・本体
１１０・・・フレーム
１１７・・・凹陥部
１２０・・・バルブ収容室（第２空間）
１４０・・・検知窓（突出部）
１５０・・・インク注入部
１６０・・・フィルム
１７０・・・インク室（第１空間）
１７５・・・インク供給室（第２空間）
１７７・・・隔壁
１７９・・・隔壁
１８１・・・連通孔
１８２・・・連通孔（第２孔）
１８４・・・切り欠き
１９０・・・逆止弁
２００・・・インク供給バルブ（バルブ機構）
２１０・・・インク供給口（第１孔）
【図１】
2008221698.tif 000003
【図２】
2008221698.tif 000004
【図３】
2008221698.tif 000005
【図４】
2008221698.tif 000006
【図５】
2008221698.tif 000007
【図６】
2008221698.tif 000008